(57)【特許請求の範囲】
【請求項１】
無線通信システムにおいて、端末（ＵＥ）が上りリンク信号を送信する方法であって、
基地局（ＢＳ）へ能力情報を報告するステップであって、前記能力情報は異なるＴＴＩ（ｔｒａｎｓｍｉｓｓｉｏｎ  ｔｉｍｅ  ｉｎｔｅｒｖａｌ；ＴＴＩ）長さの前記上りリンク信号に対する同時送信能力に関連した情報を含む、ステップと、
前記能力情報に基づいて少なくとも１つのサービングセルで下りリンクデータチャネルを受信するステップと、
前記下りリンクデータチャネルに対する上りリンク制御チャネルを送信するステップを含み、
前記上りリンク制御チャネルを送信するセルは前記少なくとも一つのサービングセルが属する上りリンクチャネルグループのプライマリセルであり、
前記上りリンク制御チャネルを送信するプライマリセルは、前記少なくとも一つのサービングセルに設定されたｓＴＴＩ（ｓｈｏｒｔ  ＴＴＩ）ベースの動作に基づいて、前記ｓＴＴＩベースの動作を支援するように設定される、方法。
【請求項２】
前記少なくとも１つのサービングセルは、前記上りリンク制御チャネルグル−プのセカンダリセル（Ｓｃｅｌｌ）である、請求項１に記載の方法。
【請求項３】
前記上りリンク制御チャネルは、前記ｓＴＴＩベースのチャネルである、請求項１に記載の方法。
【請求項４】
前記能力情報は、帯域−組み合わせ別に提供される、請求項１に記載の方法。
【請求項５】
前記上りリンク制御チャネルと、前記上りリンク制御チャネルのＴＴＩ長さと異なるＴＴＩ長さを有する上りリンクチャネルは、前記能力情報に基づいて一つのサブフレームで同時に送信される、請求項１に記載の方法。
【請求項６】
前記上りリンク制御チャネルと送信タイミングが重なる複数の上りリンク制御チャネル又は上りリンクデータチャネルが存在する場合、
チャネルの優先順位に従って優先順位の高い２個の上りリンクチャネルが一つのサブフレームで同時に送信される、請求項１に記載の方法。
【請求項７】
無線通信システムにおいて、上りリンク信号を送信する端末であって、前記端末は、
受信機及び送信機と、
前記受信機及び送信機を制御するプロセッサを含み、
前記プロセッサは、
基地局（ＢＳ）へ能力情報を報告し、前記能力情報は異なるＴＴＩ（ｔｒａｎｓｍｉｓｓｉｏｎ  ｔｉｍｅ  ｉｎｔｅｒｖａｌ；ＴＴＩ）長さの前記上りリンク信号に対する同時送信能力に関連した情報を含み、
少なくとも１つのサービングセルで前記能力情報に基づいて下りリンクデータチャネルを受信し、
前記受信された下りリンクデータチャネルに対する上りリンク制御チャネルを送信するように構成され、
前記上りリンク制御チャネルを送信するセルは前記少なくとも一つのサービングセルが属する上りリンクチャネルグループのプライマリセルであり、
前記上りリンク制御チャネルが送信されるプライマリセルは、前記少なくとも一つのサービングセルに設定されたｓＴＴＩ（ｓｈｏｒｔ  ＴＴＩ）ベースの動作に基づいて、前記ｓＴＴＩベースの動作を支援するように設定される、端末。
【請求項８】
前記少なくとも１つのサービングセルは、前記上りリンク制御チャネルグル−プのセカンダリセル（Ｓｃｅｌｌ）である、請求項７に記載の端末。
【請求項９】
前記上りリンク制御チャネルは、前記ｓＴＴＩベースのチャネルである、請求項７に記載の端末。
【請求項１０】
前記能力情報は、帯域−組み合わせ別に提供される、請求項７に記載の端末。
【請求項１１】
前記上りリンク制御チャネルと、前記上りリンク制御チャネルのＴＴＩ長さと異なるＴＴＩ長さを有する上りリンクチャネルは、前記能力情報に基づいて一つのサブフレームで同時に送信される、請求項７に記載の端末。
【請求項１２】
前記上りリンク制御チャネルと送信タイミングが重なる複数の上りリンク制御チャネル又は上りリンクデータチャネルが存在する場合、
前記プロセッサは、チャネルの優先順位に従って優先順位の高い２個の上りリンクチャネルを一つのサブフレームで同時に送信するように設定される、請求項７に記載の端末。
【発明の詳細な説明】
【技術分野】
【０００１】
本発明は、無線通信システムに関し、具体的に、複数の送信時間間隔、複数のプロセシング時間又は複数のニューマロロジーなどを支援する上りリンク信号送信のための方法及びそのための装置に関する。
【背景技術】
【０００２】
パケットデータのレイテンシ（ｌａｔｅｎｃｙ）は重要な性能メートル（ｍｅｔｒｉｃ）の１つであり、これを減らして、より早いインターネットアクセスを最終ユーザ（ｅｎｄ  ｕｓｅｒ）に提供することは、ＬＥＴのみならず、次世代移動通信システム、いわゆる新ラット（ｎｅｗ  ＲＡＴ）の設計においても重要な課題の１つといえる。
【０００３】
本発明はかかるレイテンシの減少を支援する無線通信システムにおけるＨＡＲＱフィードバックに関する。
【発明の概要】
【発明が解決しようとする課題】
【０００４】
本発明は、搬送波集成システムにおいて、複数の送信時間間隔、複数のプロセシング時間又は複数のニューマロロジーなどを有する端末の性能報告及びそれによる端末の動作に関する。
【０００５】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００６】
本発明の一実施例による無線通信システムにおいて、上りリンク信号を送信する方法であって、前記方法は端末によって行われ、少なくとも１つのサービングセル上でショートＴＴＩ（ｓｈｏｒｔ  ｔｒａｎｓｍｉｓｓｉｏｎ  ｔｉｍｅ  ｉｎｔｅｒｖａｌ；ｓＴＴＩ）ベースの下りリンクデータチャネルを受信するステップと、前記受信された下りリンクデータチャネルに対するＨＡＲＱ（Ｈｙｂｒｉｄ  Ａｕｔｏｍａｔｉｃ  Ｒｅｐｅａｔ  Ｒｅｑｕｅｓｔ）−ＡＣＫ（ａｃｋｎｏｗｌｅｄｇｍｅｎｔ）情報を送信するステップを含み、前記ＨＡＲＱ−ＡＣＫ情報が載せられる上りリンク制御チャネルが送信されるセルは、前記ｓＴＴＩベースの動作を支援するように設定されてもよい。
【０００７】
追加又は代案として、前記少なくとも１つのサービングセルは、セカンダリセル（Ｓｃｅｌｌ）であってもよい。
【０００８】
追加又は代案として、前記上りリンク制御チャネルが送信されるセルは、前記少なくとも１つのサービングセルが属した上りリンク制御チャネルグループのプライマリセルであってもよい。
【０００９】
追加又は代案として、前記上りリンク制御チャネルは、前記ｓＴＴＩベースのチャネルであってもよい。
【００１０】
追加又は代案として、前記方法は、さらに、複数のＴＴＩ長さの上りリンクチャネルの同時送信能力を基地局に報告するステップを含んでもよい。
【００１１】
追加又は代案として、前記同時送信能力は、帯域別又は帯域−組み合わせ別に提供されてもよい。
【００１２】
追加又は代案として、前記端末が複数のＴＴＩ長さの上りリンクチャネルの同時送信能力を有している場合、前記複数のＴＴＩ長さの上りリンクチャネルのうち、前記上りリンク制御チャネルと異なるＴＴＩ長さを有する少なくとも１つの上りリンクチャネルと、前記上りリンク制御チャネルは一サブフレームで同時に送信されてもよい。
【００１３】
追加又は代案として、前記上りリンク制御チャネルと送信タイミングが重なる複数の上りリンク制御又はデータチャネルが存在する場合、チャネルの優先順位に従って優先順位の高い２個の上りリンクチャネルが一サブフレームで同時に送信されてもよい。
【００１４】
本発明の別の一実施例による無線通信システムにおいて、上りリンク信号を送信する端末であって、前記端末は、受信機及び送信機と、前記受信機及び送信機を制御するプロセッサを含み、前記プロセッサは、少なくとも１つのサービングセル上でショートＴＴＩ（ｓｈｏｒｔ  ｔｒａｎｓｍｉｓｓｉｏｎ  ｔｉｍｅ  ｉｎｔｅｒｖａｌ；ｓＴＴＩ）ベースの下りリンクデータチャネルを受信して、また前記受信された下りリンクデータチャネルに対するＨＡＲＱ（Ｈｙｂｒｉｄ  Ａｕｔｏｍａｔｉｃ  Ｒｅｐｅａｔ  Ｒｅｑｕｅｓｔ）−ＡＣＫ（ａｃｋｎｏｗｌｅｄｇｍｅｎｔ）情報を送信して、前記ＨＡＲＱ−ＡＣＫ情報が載せられる上りリンク制御チャネルが送信されるセルは、前記ｓＴＴＩベースの動作を支援するように設定されてもよい。
【００１５】
上記の課題解決方法は本発明の実施例の一部に過ぎず、当該技術の分野における通常の知識を有する者であれば、本願発明の技術的特徴が反映された様々な実施例を以下に説明する本発明の詳細な説明から導出できるであろう。
【発明の効果】
【００１６】
本発明の実施例によれば、上りリンク送信を効率的に行うことができる。
【００１７】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００１８】
本明細書に添付する図面は本発明に対する理解を提供するためのものであり、本発明の多様な実施形態を示し、本発明の説明とともに本発明の技術的思想を説明するためのものである。
【図１】無線通信システムにおいて用いられる無線フレーム構造の一例を示す図である。
【図２】無線通信システムにおいて、下りリンク／上りリンク（ＤＬ／ＵＬ）スロット構造の一例を示す図である。
【図３】３ＧＰＰ  ＬＴＥ／ＬＴＥ−Ａシステムにおいて用いられる下りリンク（ｄｏｗｎｌｉｎｋ，ＤＬ）サブフレームの構造を例示する図である。
【図４】３ＧＰＰ  ＬＴＥ／ＬＴＥ−Ａシステムにおいて用いられる上りリンク（ｕｐｌｉｎｋ，ＵＬ）サブフレームの構造を例示する図である。
【図５】本発明の一実施例による端末の動作を示す図である。
【図６】本発明の実施例を具現するための装置を示すブロック図である。
【発明を実施するための形態】
【００１９】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２０】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２１】
本発明において、ユーザ機器（ｕｓｅｒ  ｅｑｕｉｐｍｅｎｔ，ＵＥ）は、固定していても、移動性を有していてもよいもので、基地局（ｂａｓｅ  ｓｔａｔｉｏｎ，ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）、送信ポイント（ｔｒａｎｓｍｉｓｓｉｏｎ  ｐｏｉｎｔ；ＴＰ）などと呼ぶこともできる。以下の本発明に関する説明では、ＢＳをｅＮＢと総称する。
【００２２】
本発明でいうノード（ｎｏｄｅ）とは、ユーザ機器と通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ，ＲＲＨ）、無線リモートユニット（ｒａｄｉｏ  ｒｅｍｏｔｅ  ｕｎｉｔ，ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ，ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ，ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイする形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２３】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２４】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ＴＸ／ＲＸ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２５】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ  ＬＥＴ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００２６】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００２７】
図１は、無線通信システムで用いられる無線フレーム構造の一例を示す図である。特に、図１（ａ）は、３ＧＰＰ  ＬＥＴ／ＬＥＴ−Ａシステムで用いられる周波数分割デュプレックス（ｆｒｅｑｕｅｎｃｙ  ｄｉｖｉｓｉｏｎ  ｄｕｐｌｅｘ，ＦＤＤ）用フレーム構造を示しており、図１（ｂ）は、３ＧＰＰ  ＬＥＴ／ＬＥＴ−Ａシステムで用いられる時間分割デュプレックス（ｔｉｍｅ  ｄｉｖｉｓｉｏｎ  ｄｕｐｌｅｘ，ＴＤＤ）用フレーム構造を示している。
【００２８】
図１を参照すると、３ＧＰＰ  ＬＥＴ／ＬＥＴ−Ａシステムで用いられる無線フレームは、１０ｍｓ（３０７２００Ｔｓ）の長さを有し、１０個の均等なサイズのサブフレーム（ｓｕｂｆｒａｍｅ，ＳＦ）で構成される。1無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ，ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００２９】
無線フレームは、デュプレックス（ｄｕｐｌｅｘ）技法によって別々に構成（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３０】
表１は、ＴＤＤで、無線フレームにおけるサブフレームのＤＬ−ＵＬ構成（ｃｏｎｆｉｇｕｒａｔｉｏｎ）を例示するものである。
【００３１】
【表１】
0006831010.tif 000002
【００３２】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成（ｃｏｎｆｉｇｕｒａｔｉｏｎ）を例示するものである。
【００３３】
【表２】
0006831010.tif 000003
【００３４】
図２は、無線通信システムにおいて下りリンク／上りリンク（ＤＬ／ＵＬ）スロット構造の一例を示す図である。特に、図２は、３ＧＰＰ  ＬＥＴ／ＬＥＴ−Ａシステムのリソース格子（ｒｅｓｏｕｒｃｅ  ｇｒｉｄ）の構造を示す。アンテナポート当たりに１個のリソース格子がある。
【００３５】
図２を参照すると、スロットは、時間ドメインで複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメインで複数のリソースブロック（ｒｅｓｏｕｒｃｅ  ｂｌｏｃｋ，ＲＢ）を含む。ＯＦＤＭシンボルは、１シンボル区間を意味することもある。図２を参照すると、各スロットで送信される信号は、
0006831010.tif 000004
個の副搬送波（ｓｕｂｃａｒｒｉｅｒ）と
0006831010.tif 000005
個のＯＦＤＭシンボルとで構成されるリソース格子（ｒｅｓｏｕｒｃｅ  ｇｒｉｄ）と表現することができる。ここで、
0006831010.tif 000006
は、下りリンクスロットにおけるリソースブロック（ｒｅｓｏｕｒｃｅ  ｂｌｏｃｋ，ＲＢ）の個数を表し、
0006831010.tif 000007
は、ＵＬスロットにおけるＲＢの個数を表す。
0006831010.tif 000008
と
0006831010.tif 000009
は、ＤＬ送信帯域幅とＵＬ送信帯域幅にそれぞれ依存する。
0006831010.tif 000010
は、下りリンクスロットにおけるＯＦＤＭシンボルの個数を表し、
0006831010.tif 000011
は、ＵＬスロットにおけるＯＦＤＭシンボルの個数を表す。
0006831010.tif 000012
は、１つのＲＢを構成する副搬送波の個数を表す。
【００３６】
ＯＦＤＭシンボルは、多重接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ（ｃｙｃｌｉｃ  ｐｒｅｆｉｘ）長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
0006831010.tif 000013
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及び直流（Ｄｉｒｅｃｔ  Ｃｕｒｒｅｎｔ，ＤＣ）成分のためのヌル（ｎｕｌｌ）副搬送波に分類することができる。ＤＣ成分のためのヌル副搬送波は、未使用のまま残される副搬送波であり、ＯＦＤＭ信号生成過程或いは周波数上り変換過程で搬送波周波数（ｃａｒｒｉｅｒ  ｆｒｅｑｕｅｎｃｙ，ｆ０）にマッピング（ｍａｐｐｉｎｇ）される。搬送波周波数は中心周波数（ｃｅｎｔｅｒ  ｆｒｅｑｕｅｎｃｙ）と呼ばれることもある。
【００３７】
１  ＲＢは、時間ドメインで
0006831010.tif 000014
個（例えば、７個）の連続するＯＦＤＭシンボルと定義され、周波数ドメインで
0006831010.tif 000015
個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ，ＲＥ）或いはトーン（ｔｏｎｅ）という。したがって、１つのＲＢは、
0006831010.tif 000016
個のリソース要素で構成される。リソース格子における各リソース要素は、１つのスロットにおけるインデックス対（ｋ，１）によって固有に定義できる。ｋは、周波数ドメインで０から
0006831010.tif 000017
まで与えられるインデックスであり、ｌは、時間ドメインで０から
0006831010.tif 000018
まで与えられるインデックスである。
【００３８】
１サブフレームにおいて
0006831010.tif 000019
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ，ＰＲＢ）対（ｐａｉｒ）という。ＰＲＢ対を構成する２個のＲＢは、同一のＰＲＢ番号（或いは、ＰＲＢインデックス（ｉｎｄｅｘ）ともいう）を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マッピングされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０から
0006831010.tif 000020
順に番号が与えられ、
0006831010.tif 000021
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００３９】
図３は、３ＧＰＰ  ＬＥＴ／ＬＥＴ−Ａシステムで用いられる下りリンク（ｄｏｗｎｌｉｎｋ，ＤＬ）サブフレーム構造を例示する図である。
【００４０】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域（ｃｏｎｔｒｏｌ  ｒｅｇｉｏｎ）に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨ（Ｐｈｙｓｉｃａｌ  Ｄｏｗｎｌｉｎｋ  Ｓｈａｒｅｄ  ＣＨａｎｃｅｌ）が割り当てられるデータ領域（ｄａｔａ  ｒｅｇｉｏｎ）に該当する。以下、ＤＬサブフレームでＰＤＳＣＨ送信に利用可能なリソース領域をＰＤＳＣＨ領域と称する。３ＧＰＰ  ＬＥＴで用いられるＤＬ制御チャネルの例としては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４１】
ＰＤＣＣＨを介して送信される制御情報を下りリンク制御情報（ｄｏｗｎｌｉｎｋ  ｃｏｎｔｒｏｌ  ｉｎｆｏｒｍａｔｉｏｎ，ＤＣＩ）と呼ぶ。ＤＣＩは、ＵＥ又はＵＥグループのためのリソース割り当て情報及び他の制御情報を含む。例えば、ＤＣＩは、ＤＬ共有チャネル（ｄｏｗｎｌｉｎｋ  ｓｈａｒｅｄ  ｃｈａｎｎｅｌ，ＤＬ−ＳＣＨ）の送信フォーマット及びリソース割り当て情報、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報、ページングチャネル（ｐａｇｉｎｇ  ｃｈａｎｎｅｌ，ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割り当て情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄ  ｃｈａｎｎｅｌ，ＤＬ−ＳＣＨ）の送信フォーマット（Ｔｒａｎｓｍｉｔ  Ｆｏｒｍａｔ）及びリソース割り当て情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ，ＵＬ−ＳＣＨ）の送信フォーマット及びリソース割り当て情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ  ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（ＲＢ  ａｌｌｏｃａｔｉｏｎ）、ＭＣＳ（ｍｏｄｕｌａｔｉｏｎ  ｃｏｄｉｎｇ  ｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環シフトＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割り当てインデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組み合わせが下りリンク制御情報としてＵＥに送信される。
【００４２】
一般に、ＵＥに構成された送信モード（ｔｒａｎｓｍｉｓｓｉｏｎ  ｍｏｄｅ，ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４３】
ＰＤＣＣＨは、１つ又は複数の連続した制御チャネル要素（ｃｏｎｔｒｏｌ  ｃｈａｎｎｅｌ  ｅｌｅｍｅｎｔ，ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割り当てユニット（ｕｎｉｔ）である。ＣＣＥは、複数のリソース要素グループ（ｒｅｓｏｕｒｃｅ  ｅｌｅｍｅｎｔ  ｇｒｏｕｐ，ＲＥＧ）に対応する。例えば、１  ＣＣＥは９個のＲＥＧに対応し、１  ＲＥＧは４個のＲＥに対応する。３ＧＰＰ  ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ，ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ  ＬＥＴ／ＬＥＴ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。以下の表は、探索空間を定義する集成レベル（ａｇｇｒｅｇａｔｉｏｎ  ｌｅｖｅｌ）を例示するものである。
【００４４】
【表３】
0006831010.tif 000022
【００４５】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ，ＢＤ））という。
【００４６】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ（Ｐｈｙｓｉｃａｌ  Ｄｏｗｎｌｉｎｋ  Ｓｈａｒｅｄ  ＣＨａｎｎｅｌ）を割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００４７】
ＵＥがｅＮＢから受信した信号を復調するには、データ信号と比較する参照信号（ｒｅｆｅｒｅｎｃｅ  ｓｉｇｎａｌ，ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ  ＲＳ）とに区別される。ｅＮＢが特定ＵＥのための下りリンクデータの復調のために送信するＤＭ  ＲＳをＵＥ−特定的（ＵＥ−ｓｐｅｃｉｆｉｃ）ＲＳと特別に称することもできる。下りリンクでＤＭ  ＲＳとＣＲＳは共に送信されてもよいが、いずれか一方のみが送信されてもよい。ただし、下りリンクでＣＲＳ無しにＤＭ  ＲＳのみが送信される場合、データと同じプリコーダを適用して送信されるＤＭ  ＲＳは復調の目的にのみ用いることができるため、チャネル測定用ＲＳを別途に提供しなければならない。例えば、３ＧＰＰ  ＬＥＴ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、各サブフレーム毎に送信されるＣＲＳとは違い、複数のサブフレームで構成される所定の送信周期毎に送信される。
【００４８】
図４は、３ＧＰＰ  ＬＥＴ／ＬＥＴ−Ａシステムで用いられる上りリンク（ｕｐｌｉｎｋ，ＵＬ）サブフレーム構造の一例を示す図である。
【００４９】
図４を参照すると、ＵＬサブフレームは、周波数ドメインで制御領域とデータ領域とに区別できる。１つ又は複数のＰＵＣＣＨ（ｐｈｙｓｉｃａｌ  ｕｐｌｉｎｋ  ｃｏｎｔｒｏｌ  ｃｈａｎｎｅｌｓ）が上りリンク制御情報（ｕｐｌｉｎｋ  ｃｏｎｔｒｏｌ  ｉｎｆｏｒｍａｔｉｏｎ，ＵＣＩ）を運ぶために制御領域に割り当てられることができる。１つ又は複数のＰＵＳＣＨ（ｐｈｙｓｉｃａｌ  ｕｐｌｉｎｋ  ｓｈａｒｅｄ  ｃｈａｎｎｅｌｓ）がユーザデータを運ぶためにＵＬサブフレームのデータ領域に割り当てられてもよい。
【００５０】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５１】
ＰＵＣＣＨは、次の制御情報を送信するために用いることができる。
【００５２】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００５３】
−  ＨＡＲＱ−ＡＣＫ：ＰＤＣＣＨに対する応答及び／又はＰＤＳＣＨ上の下りリンクデータパケット（例えば、コードワード）に対する応答である。ＰＤＣＣＨ或いはＰＤＳＣＨが成功裏に受信されたか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００５４】
−  ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００５５】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボル以外のＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００５６】
下記の表４に、ＬＥＴ／ＬＥＴ−ＡシステムでＰＵＣＣＨフォーマットとＵＣＩとのマッピング関係を示す。
【００５７】
【表４】
0006831010.tif 000023
【００５８】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ｃｈａｎｎｅｌ  ｓｔａｔｅ  ｉｎｆｏｒｍａｔｉｏｎ，ＣＳＩ）を運ぶために用いられ、ＰＵＣＣＨフォーマット３系列はＡＣＫ／ＮＡＣＫ情報を送信するために用いられる。
【００５９】
参照信号（Ｒｅｆｅｒｅｎｃｅ  Ｓｉｇｎａｌ；ＲＳ）
【００６０】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６１】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート（ａｎｔｅｎｎａ  ｐｏｒｔ）別に異なった参照信号が存在しなければならない。
【００６２】
参照信号は上りリンク参照信号と下りリンク参照信号とに区別できる。現在、ＬＥＴシステムには、上りリンク参照信号として、
【００６３】
ｉ）ＰＵＳＣＨ及びＰＵＣＣＨを通じて送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ，ＤＭ−ＲＳ）
【００６４】
ｉｉ）基地局が、ネットワークの異なる周波数における上りリンクチャネル品質を測定するためのサウンディング参照信号（Ｓｏｕｎｄｉｎｇ  Ｒｅｆｅｒｅｎｃｅ  Ｓｉｇｎａｌ，ＳＲＳ）がある。
【００６５】
一方、下りリンク参照信号としては、
【００６６】
ｉ）セル内の全ての端末が共有するセル−特定参照信号（Ｃｅｌｌ−ｓｐｅｃｉｆｉｃ  Ｒｅｆｅｒｅｎｃｅ  Ｓｉｇｎａｌ，ＣＲＳ）
【００６７】
ｉｉ）特定端末だけのための端末−特定参照信号（ＵＥ−ｓｐｅｃｉｆｉｃ  Ｒｅｆｅｒｅｎｃｅ  Ｓｉｇｎａｌ）
【００６８】
ｉｉｉ）ＰＤＳＣＨが送信される場合に、コヒーレントな復調のために送信される（ＤｅＭｏｄｕｌａｔｉｏｎ−Ｒｅｆｅｒｅｎｃｅ  Ｓｉｇｎａｌ，ＤＭ−ＲＳ）
【００６９】
ｉｖ）下りリンクＤＭＲＳが送信される場合に、チャネル状態情報（Ｃｈａｎｎｅｌ  Ｓｔａｔｅ  Ｉｎｆｏｒｍａｔｉｏｎ；ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ）
【００７０】
ｖ）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
【００７１】
ｖｉ）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００７２】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することが可能になる。この参照信号は、データの送信される領域で送信されなければならない。
【００７３】
次世代システムでは、様々な適用分野における要求事項を満たすために、全ての又は特定の物理チャネルに対してＴＴＩ（ｔｒａｎｓｍｉｓｓｉｏｎ  ｔｉｍｅ  ｉｎｔｅｒｖａｌ）（の長さ）を多様に設定する状況が考慮される。より特徴的には、シナリオによってｅＮＢとＵＥの間の通信時に遅延（ｌａｔｅｎｃｙ）を減らすために、ＰＤＣＣＨ／ＰＤＳＣＨ／ＰＵＳＣＨ／ＰＵＣＣＨなどの物理チャネルの送信に使用されるＴＴＩを１ｍｓｅｃより小さく設定することができる（以下、これらを各々ｓＰＤＣＣＨ／ｓＰＤＳＣＨ／ｓＰＵＳＣＨ／ｓＰＵＣＣＨと表す）。また、単一のＵＥ或いは複数のＵＥに対して、単一のサブフレーム（例えば、１ｍｓｅｃ）内で複数の物理チャネルが存在することができ、各々はＴＴＩ（の長さ）が異なることもできる。以下の実施例では、説明の便宜上、ＬＴＥシステムを例として説明する。この時、ＴＴＩはＬＴＥシステムにおける一般的なサブフレームのサイズで１ｍｓｅｃであることができ（以下、一般ＴＴＩ）、短いＴＴＩはこれより小さい値を称し、単一／複数のＯＦＤＭ或いはＳＣ−ＦＤＭＡシンボル単位であることができる。説明の便宜上、短いＴＴＩ（即ち、ＴＴＩ長さが既存の１つのサブフレームより小さい場合）を仮定したが、ＴＴＩが１つのサブフレームより長くなる場合、或いは１ｍｓ以上である場合についても、本発明の主要特徴を拡張して適用することができる。特徴的には、次世代システムにおいて、副搬送波間隔（ｓｕｂｃａｒｒｉｅｒ  ｓｐａｃｉｎｇ）を増加させる形態で短いＴＴＩが導入される場合にも、本発明の主要特徴を拡張して適用することができる。便宜上、発明をＬＴＥに基づいて説明したが、該当内容はｎｅｗ  ＲＡＴ（ｎｅｗ  ｒａｄｉｏ  ａｃｃｅｓｓ  ｔｅｃｈｎｏｌｏｇｙ）などの他の波形／フレーム構造（ｗａｖｅｆｏｒｍ／ｆｒａｍｅ  ｓｔｒｕｃｔｕｒｅ）が使用される技術にも適用可能である。一般的に本発明では、ｓＴＴＩ（＜１ｍｓｅｃ）、ｌｏｎｇＴＴＩ（＝１ｍｓｅｃ）、ｌｏｎｇｅｒＴＴＩ（＞１ｍｓｅｃ）と仮定する。後述する実施例は、互いに異なるＴＴＩ長さ／ニューマロロジー（ｎｕｍｅｒｏｌｏｇｙ）／プロセシング時間（ｐｒｏｃｅｓｓｉｎｇ  ｔｉｍｅ）を有する複数のＵＬチャネルについて説明するが、互いに異なるサービス要求事項、レイテンシ、スケジューリングユニットが適用される複数のＵＬ／ＤＬチャネルに対して拡張して適用可能であることは自明である。
【００７４】
ＵＬチャネルの同時送信（Ｓｉｍｕｌｔａｎｅｏｕｓ  ｔｒａｎｓｍｉｓｓｉｏｎ  ｏｆ  ＵＬ  ｃｈａｎｎｅｌｓ）
【００７５】
従来のＬＴＥ標準では、ＰＵＣＣＨ／ＰＵＳＣＨ同時送信能力（ｃａｐａｂｉｌｉｔｙ）があるＵＥの場合、当該能力をネットワークに報告できるようになっていて、ネットワークはＰＵＣＣＨ／ＰＵＳＣＨ同時送信を端末に設定することができ、このとき、ＰＵＣＣＨのＵＣＩをＰＵＳＣＨにピギーバック（ｐｉｇｇｙｂａｃｋ）する代わりに、ＰＵＣＣＨとＰＵＳＣＨを同時に送信することで、より効率的なＵＬ送信が可能であった。
【００７６】
ショット（ｓｈｏｒｔ）ＴＴＩの導入につれて、特定時点においてＰＵＣＣＨ／ＰＵＳＣＨ同時送信が設定されたＵＥにＰＵＣＣＨとＰＵＳＣＨが同時送信されるようにスケジュールされた状況で、その後にｓＰＵＳＣＨ又はｓＰＵＣＣＨが来る場合、端末の動作を定義する必要があり得る。又は、特定時点においてＴＴＩ長さ＝ｘであるＰＵＣＣＨとＰＵＳＣＨが同時送信されるようにスケジュールされた状況で、その後にさらに短いＴＴＩ長さ＝ｙ（ｙ＜ｘ）であるＰＵＣＣＨ又はＰＵＳＣＨが来る場合、端末動作の定義であってもよい。より一般には、特定のプロセシング時間（又は、サブキャリア間隔などのニューマロロジー）を有するＰＵＣＣＨ／ＰＵＳＣＨと異なるより短い（又は、より長いサブキャリア間隔）プロセシング時間（又は、サブキャリア  間隔などのニューマロロジー）を有するＰＵＣＣＨ／ＰＵＳＣＨが来る場合、端末動作の定義であってもよい。以下、上述したような状況において、端末動作に対する提案のより具体的な例を説明する。具体的には、当該チャネルは、１つの端末で送信されてもよいが、複数の端末同士の各端末が送信するチャネルであってもよい。この場合、他の端末が送信するチャネルの情報は知られていると仮定する。
【００７７】
また、上述した同時送信は、基本的にチャネル間に支援されると仮定することができ、当該場合にも同時送信するように設定されてもよく、設定されなくてもよい。しかし、同時送信が設定されたとしても、１つのＵＥ搬送波内において、以下の場合には同時送信を行わなくてもよい。
【００７８】
（１）ＯＦＤＭで送信するチャネルと、ＤＦＴ−ｓ−ＯＦＤＭ（Ｄｉｓｃｒｅｔｅ  Ｆｏｕｒｉｅｒ  Ｔｒａｎｓｆｏｒｍ  ｓｐｒｅａｄ  ＯＦＤＭ）で送信するチャネルが部分的に又は完全に重なる場合
【００７９】
（２）ニューマロロジーが異なるチャネルが部分的に又は完全に重なる場合（端末が１つ以上のニューマロロジーを支援しないと仮定する場合）
【００８０】
（３）ＰＲＡＣＨ送信時に他のチャネルが部分的に又は完全に重なる場合
【００８１】
（４）サイドリンク（ｓｉｄｅｌｉｎｋ）送信時に１つの搬送波でＰＵＳＣＨ／ＰＵＣＣＨ／ＳＲＳ送信する場合
【００８２】
上述のような同時送信を行わない状況を除いて、同時送信が設定された場合には、ＵＥ送信電力が制約されない限り同時送信すると仮定する。仮に、送信電力の制約が発生する場合、同時送信が制約される可能性がある。送信電力の制約は、端末の最大電力より、求められた電力量が多い場合や、端末の電力増幅器の構造で過度区間（ｔｒａｎｓｉｅｎｔ  ｐｅｒｉｏｄ）による復調性能劣化が予想される場合などを含むことができる。
【００８３】
複数の搬送波にわたって複数のチャネルが送信されるとき、端末の能力によって、ＯＦＤＭとＤＦＴ−ｓ−ＯＦＤＭが同時に送信されるか又は送信されない。
【００８４】
このような同時送信を決定するためには、以下の状況を考慮する。
【００８５】
Ａ．ＵＣＩピギーバックを行うか否かが設定可能であると仮定する。仮に設定がない場合、ＵＣＩピギーバックが行えると仮定できる。
【００８６】
仮に、ＵＣＩピギーバックが行われないとき、電力制約が生じて、１つのチャネルをドロップ（ｄｒｏｐ）しなければならない場合、またチャネルがＵＣＩを含んでいる場合、ＵＣＩがドロップされ得る。
【００８７】
Ｂ．ＳＲＳと他のチャネルの同時送信についても実行するか否かが設定されてもよい。
【００８８】
当該仮定下において同時送信するとき、電力が制限された状況で衝突ケースとして考慮可能なオプションは、以下のようである。
【００８９】
● ケース０：端末が送信する１つのチャネルの電力を一定に維持する条件を満たしながら、ＵＣＩ優先順位の高い順にチャネルを保護する。ＵＣＩ優先順位が同一の場合、短い送信が優先順位を有する。或いは、短い送信がＵＣＩ優先順位に比べて優先順位が高いことがある。電力が維持される限り、ＰＵＳＣＨとｓＰＵＳＣＨ、ＰＵＳＣＨとＰＵＣＣＨなどのように送信されることができる。仮に、電力が変更される（各搬送波当たり又は過度区間を必要とする）場合、又は電力制約がかかる場合、端末は優先順位によって最低のチャネルからドロップ又は中止することができる。
【００９０】
かかる動作の一例として、搬送波集成などによってＰＵＳＣＨとＰＵＣＣＨが互いに異なる搬送波で送信される途中に、また別の搬送波によってｓＰＵＳＣＨが送信を始めるケースなどを考慮することができる。また、電力増幅器を搬送波間に共有する場合と、共有しない場合とに分けられる。よって、一般に、端末の電力が許容される限り、端末が同時送信を支援する限り、各チャネルの電力が維持できる場合には、全てのチャネルを送信して、そうではない場合には、優先順位に従って、そのうち少なくとも一部をドロップすることを含む。以下、各ケースを優先順位ルール（ｒｕｌｅ）として仮定することができ、ケース０と他のケースを同時に適用することもできる。仮に、各チャネルに保障された電力が割り当てられて、ＰＵＳＣＨ／ＰＵＣＣＨ電力を割り当てた後、ｓＰＵＣＣＨ／ｓＰＵＳＣＨの電力が既存のチャネルに影響を及ぼさずに割り当てられるとき、電力過度区間が耐えられると仮定できる場合、全てのチャネルが（端末が支援する限り）送信されることができる。
【００９１】
● ケース１：ＰＵＣＣＨ及びＰＵＳＣＨが同時送信されるＴＴＩにｓＰＵＳＣＨがスケジュールされた場合、ＰＵＳＣＨは中止／ドロップ（ｓｔｏｐ／ｄｒｏｐ）され、ＰＵＣＣＨとｓＰＵＳＣＨが共に送信されることができる。ここで、ＵＥはＰＵＣＣＨ／ＰＵＳＣＨ同時送信が設定されたＵＥであり得る。より一般には、特定のＴＴＩ長さ／ニューマロロジー／プロセシング時間を有するＰＵＣＣＨ／ＰＵＳＣＨ１同時送信時点に、これとは異なるＴＴＩ長さ／ニューマロロジー／プロセシング時間を有するＰＵＳＣＨ２がスケジュールされた場合、ＰＵＳＣＨ１は中止／ドロップされ、ＰＵＣＣＨとＰＵＳＣＨ２が共に送信されることができる。具体的に、ＰＵＳＣＨ２は、ＰＵＳＣＨ１に比べて短いＴＴＩ長さ及び／又は長いサブキャリア間隔及び／又は短いプロセシング時間を有する場合を含むことができる。この場合、より緊急な（ｕｒｇｅｎｔ）トラフィックを有する確立の高いＰＵＳＣＨ２に高い優先順位を付与すると見なすことができる。仮に、ＰＵＳＣＨ１にＵＣＩが存在する場合、当該ＵＣＩは（全部又は一部が）ドロップされてもよく、ＰＵＳＣＨ２にピギーバックされて送信されてもよく、ＰＵＣＣＨの情報と集成されたりバンドリングされて共にＰＵＣＣＨに送信されてもよい。また別の方法として、ＰＵＳＣＨ１のＵＣＩタイプ（ｔｙｐｅ）及び／又はＵＣＩペイロードサイズ（ｐａｙｌｏａｄ  ｓｉｚｅ）及び／又はＰＵＣＣＨのＴＴＩ長さ及び／又はＰＵＣＣＨのニューマロロジー及び／又はＰＵＳＣＨ２のＴＴＩ長さ及び／又はＰＵＳＣＨ２のニューマロロジー別にＰＵＳＣＨ１のＵＣＩドロップの可否が決定されてもよい。ＰＵＳＣＨ１のＵＣＩタイプ及び／又はＵＣＩペイロードサイズ及び／又はＰＵＣＣＨのＴＴＩ長さ及び／又はＰＵＣＣＨのニューマロロジー及び／又はＰＵＳＣＨ２のＴＴＩ長さ及び／又はＰＵＳＣＨ２のニューマロロジー別にＰＵＳＣＨ１のＵＣＩがＰＵＣＣＨに送信されるか、又はＰＵＳＣＨ２に送信されるかが決定されてもよい。
【００９２】
● ケース２：ＰＵＣＣＨ及びＰＵＳＣＨが同時送信されるＴＴＩにｓＰＵＳＣＨがスケジュールされた場合、ｓＰＵＳＣＨがドロップされ、ＰＵＣＣＨとＰＵＳＣＨが共に送信されることができる。ここで、ＵＥは、ＰＵＣＣＨ及びＰＵＳＣＨ同時送信が設定されたＵＥであり得る。すなわち、異なるＴＴＩ長さ（又は、ニューマロロジー、プロセシング時間など）間にはＰＵＣＣＨ及びＰＵＳＣＨ（又は、複数のＵＬチャネル）同時送信を許容しなくてもよい。より一般には、特定のＴＴＩ長さ／ニューマロロジー／プロセシング時間を有するＰＵＣＣＨ及びＰＵＳＣＨ１同時送信時点に、これとは異なるＴＴＩ長さ／ニューマロロジー／プロセシング時間を有するＰＵＳＣＨ２がスケジュールされた場合、ＰＵＳＣＨ２がドロップされ、ＰＵＣＣＨとＰＵＳＣＨ１が共に送信されることができる。具体的に、ＰＵＳＣＨ２はＰＵＳＣＨ１に比べて短いＴＴＩ長さ及び／又は長いサブキャリア間隔及び／又は短いプロセシング時間を有する場合を含むことができる。ＰＵＳＣＨがドロップされても、ＰＵＳＣＨ２にＵＣＩが存在する場合、当該ＵＣＩは（全部又は一部）ドロップされてもよく、ＰＵＳＣＨ１にピギーバックされて送信されてもよく、ＰＵＣＣＨの情報と集成されたりバンドリングされて共にＰＵＣＣＨに送信されてもよい。また別の方法として、ＰＵＳＣＨ２のＵＣＩタイプ及び／又はＵＣＩペイロードサイズ及び／又はＰＵＣＣＨのＴＴＩ長さ及び／又はＰＵＣＣＨのニューマロロジー及び／又はＰＵＳＣＨ１のＴＴＩ長さ及び／又はＰＵＳＣＨ１のニューマロロジー別にＰＵＳＣＨ２のＵＣＩドロップ可否が決定されてもよい。ＰＵＳＣＨ２のＵＣＩタイプ及び／又はＵＣＩペイロードサイズ及び／又はＰＵＣＣＨのＴＴＩ長さ及び／又はＰＵＣＣＨのニューマロロジー及び／又はＰＵＳＣＨ１のＴＴＩ長さ及び／又はＰＵＳＣＨ１のニューマロロジー別にＰＵＳＣＨ２のＵＣＩがＰＵＣＣＨに送信されるか、又はＰＵＳＣＨ１に送信されるかが決定されてもよい。
【００９３】
● ケース３：ＰＵＣＣＨ及びＰＵＳＣＨが同時送信されるＴＴＩにｓＰＵＣＣＨの送信タイミングが重なった場合、ＰＵＣＣＨはドロップされ、ＰＵＳＣＨとｓＰＵＣＣＨが共に送信されることができる。ここで、ＵＥは、ＰＵＣＣＨ及びＰＵＳＣＨ同時送信が設定されたＵＥであり得る。より一般には、特定のＴＴＩ長さ／ニューマロロジー／プロセシング時間を有するＰＵＣＣＨ１及びＰＵＳＣＨの同時送信時点に、これとは異なるＴＴＩ長さ／ニューマロロジー／プロセシング時間を有するＰＵＣＣＨ２の送信タイミングが重なった場合、ＰＵＣＣＨ１は中止／ドロップされ、ＰＵＳＣＨとＰＵＣＣＨ２が共に送信されることができる。具体的に、ＰＵＣＣＨ２はＰＵＣＣＨ１に比べて短いＴＴＩ長さ及び／又は長いサブキャリア間隔及び／又は短いプロセシング時間を有する場合を含むことができる。ＰＵＣＣＨ１にＵＣＩが存在する場合、当該ＵＣＩは（全部又は一部が）ドロップされてもよく、ＰＵＳＣＨにピギーバックされて送信されてもよく、ＰＵＣＣＨ２の情報と集成されたりバンドリングされて共にＰＵＣＣＨ２に送信されてもよい。また別の方法として、ＰＵＣＣＨ１のＵＣＩタイプ及び／又はＵＣＩペイロードサイズ及び／又はＰＵＣＣＨ２のＴＴＩ長さ及び／又はＰＵＣＣＨ２のニューマロロジー及び／又はＰＵＳＣＨのＴＴＩ長さ及び／又はＰＵＳＣＨのニューマロロジー別にＰＵＣＣＨ１のＵＣＩドロップ可否が決定されてもよい。ＰＵＣＣＨ１のＵＣＩタイプ及び／又はＵＣＩペイロードサイズ及び／又はＰＵＣＣＨ２のＴＴＩ長さ及び／又はＰＵＣＣＨ２のニューマロロジー及び／又はＰＵＳＣＨのＴＴＩ長さ及び／又はＰＵＳＣＨのニューマロロジー別にＰＵＣＣＨ１のＵＣＩがＰＵＣＣＨ２に送信されるか、又はＰＵＳＣＨに送信されるかが決定されてもよい。
【００９４】
● ケース４：ＰＵＣＣＨ／ＰＵＳＣＨ同時送信時点ＴＴＩにｓＰＵＣＣＨのタイミングが重なった場合、ｓＰＵＣＣＨはドロップされ、ＰＵＳＣＨとＰＵＣＣＨが共に送信されることができる。ここで、ＵＥは、ＰＵＣＣＨ及びＰＵＳＣＨの同時送信が設定されたＵＥであり得る。より一般には、特定のＴＴＩ長さ／ニューマロロジー／プロセシング時間を有するＰＵＣＣＨ１／ＰＵＳＣＨ同時送信時点に、これとは異なるＴＴＩ長さ／ニューマロロジー／プロセシング時間を有するＰＵＣＣＨ２の送信タイミングが重なった場合、ＰＵＣＣＨ２がドロップされ、ＰＵＳＣＨとＰＵＣＣＨ１が共に送信されることができる。具体的に、ＰＵＣＣＨ２はＰＵＣＣＨ１に比べて短いＴＴＩ長さ及び／又は長いサブキャリア間隔及び／又は短いプロセシング時間を有する場合を含むことができる。ＰＵＣＣＨ２に送信されるＵＣＩが存在する場合、当該ＵＣＩは（全部又は一部が）ドロップされてもよく、ＰＵＳＣＨにピギーバックされて送信されてもよく、ＰＵＣＣＨ１の情報と集成されたりバッドリングされて共にＰＵＣＣＨ１に送信されてもよい。また別の方法として、ＰＵＣＣＨ２のＵＣＩタイプ及び／又はＵＣＩペイロードサイズ及び／又はＰＵＣＣＨ１のＴＴＩ長さ及び／又はＰＵＣＣＨ１のニューマロロジー及び／又はＰＵＳＣＨのＴＴＩ長さ及び／又はＰＵＳＣＨのニューマロロジー別にＰＵＣＣＨ２のＵＣＩドロップ可否が決定されてもよい。ＰＵＣＣＨ２のＵＣＩタイプ及び／又はＵＣＩペイロードサイズ及び／又はＰＵＣＣＨ１のＴＴＩ長さ及び／又はＰＵＣＣＨ１のニューマロロジー及び／又はＰＵＳＣＨのＴＴＩ長さ及び／又はＰＵＳＣＨのニューマロロジー別にＰＵＣＣＨ２のＵＣＩがＰＵＣＣＨ１に送信されるか、又はＰＵＳＣＨに送信されるかが決定されてもよい。
【００９５】
● ケース５：特定のＵＥにスケジュールされたＰＵＳＣＨが送信されるＴＴＩにおいて、ｓＰＵＳＣＨとｓＰＵＣＣＨが同時送信されるようにスケジュールされて、前記ＰＵＳＣＨ送信タイミングと重なる場合、ＰＵＳＣＨは中止／ドロップされ、ｓＰＵＳＣＨとｓＰＵＣＣＨが共に送信されることができる。ここで、ＵＥは、ＰＵＣＣＨ及びＰＵＳＣＨの同時送信又は別のｓＰＵＣＣＨ／ｓＰＵＳＣＨ同時送信が設定されたＵＥであり得る。より一般には、特定のＴＴＩ長さ／ニューマロロジー／プロセシング時間を有するＰＵＣＣＨ及びＰＵＳＣＨ１の同時送信時点に、これとは異なるＴＴＩ長さ／ニューマロロジー／プロセシング時間を有するＰＵＳＣＨ２の送信タイミングが重なった場合、ＰＵＳＣＨ２は中止／ドロップされ、ＰＵＣＣＨとＰＵＳＣＨ１が共に送信されることができる。具体的に、ＰＵＳＣＨ２はＰＵＳＣＨ１に比べて長いＴＴＩ長さ及び／又は短いサブキャリア間隔及び／又は長いプロセシング時間を有する場合を含むことができる。ＰＵＳＣＨ２にＵＣＩが存在する場合、当該ＵＣＩは（全部又は一部が）ドロップされてもよく、ＰＵＳＣＨ１にピギーバックされて送信されてもよく、ＰＵＣＣＨの情報と集成されたりバンドリングされて共にＰＵＣＣＨに送信されてもよい。また別の方法として、ＰＵＳＣＨ２のＵＣＩタイプ及び／又はＵＣＩペイロードサイズ及び／又はＰＵＣＣＨのＴＴＩ長さ及び／又はＰＵＣＣＨのニューマロロジー及び／又はＰＵＳＣＨ１のＴＴＩ長さ及び／又はＰＵＳＣＨ１のニューマロロジー別に、ＰＵＳＣＨ２のＵＣＩドロップ可否が決定されてもよい。ＰＵＳＣＨ２のＵＣＩタイプ及び／又はＵＣＩペイロードサイズ及び／又はＰＵＣＣＨのＴＴＩ長さ及び／又はＰＵＣＣＨのニューマロロジー及び／又はＰＵＳＣＨ１のＴＴＩ長さ及び／又はＰＵＳＣＨ１のニューマロロジー別に、ＰＵＳＣＨ２のＵＣＩがＰＵＣＣＨに送信されるか、又はＰＵＳＣＨ１に送信されるかが決定されてもよい。
【００９６】
● ケース５ｂ：特定のＵＥにスケジュールされたＰＵＳＣＨ送信時点ＴＴＩにおいて、ｓＰＵＳＣＨとｓＰＵＣＣＨが同時送信されるようにスケジュールされて、送信タイミングと重なる場合、ｓＰＵＳＣＨは中止／ドロップされ、ＰＵＳＣＨとｓＰＵＣＣＨが共に送信されることができる。より一般には、特定のＴＴＩ長さ／ニューマロロジー／プロセシング時間を有するＰＵＣＣＨ／ＰＵＳＣＨ１同時送信時点に、これとは異なるＴＴＩ長さ／ニューマロロジー／プロセシング時間を有するＰＵＳＣＨ２の送信タイミングが重なった場合、ＰＵＳＣＨ１は中止／ドロップされ、ＰＵＣＣＨとＰＵＳＣＨ２が共に送信されることができる。具体的に、ＰＵＳＣＨ２はＰＵＳＣＨ１に比べて長いＴＴＩ長さ及び／又は短いサブキャリア間隔及び／又は長いプロセシング時間を有する場合を含むことができる。ＰＵＳＣＨ１にＵＣＩが存在する場合、当該ＵＣＩは（全部又は一部が）ドロップされてもよく、ＰＵＳＣＨ２にピギーバックされて送信されてもよく、ＰＵＣＣＨの情報と集成されたりバンドリングされて共にＰＵＣＣＨに送信されてもよい。また、別の方法として、ＰＵＳＣＨ１のＵＣＩタイプ及び／又はＵＣＩペイロードサイズ及び／又はＰＵＣＣＨのＴＴＩ長さ及び／又はＰＵＣＣＨのニューマロロジー及び／又はＰＵＳＣＨ２のＴＴＩ長さ及び／又はＰＵＳＣＨ２のニューマロロジー別に、ＰＵＳＣＨ１のＵＣＩドロップ可否が決定されてもよい。ＰＵＳＣＨ１のＵＣＩタイプ及び／又はＵＣＩペイロードサイズ及び／又はＰＵＣＣＨのＴＴＩ長さ及び／又はＰＵＣＣＨのニューマロロジー及び／又はＰＵＳＣＨ２のＴＴＩ長さ及び／又はＰＵＳＣＨ２のニューマロロジー別に、ＰＵＳＣＨ１のＵＣＩがＰＵＣＣＨに送信されるか、又はＰＵＳＣＨ２に送信されるかが決定されてもよい。
【００９７】
● ケース６：特定のＵＥにスケジュールされたＰＵＣＣＨ送信時点ＴＴＩにおいて、ｓＰＵＳＣＨとｓＰＵＣＣＨが同時送信されるようにスケジュールされて送信タイミングと重なる場合、ＰＵＣＣＨは中止／ドロップされ、ｓＰＵＳＣＨとｓＰＵＣＣＨが共に送信されることができる。ここで、ＵＥは、ＰＵＣＣＨ及びＰＵＳＣＨの同時送信又は別のｓＰＵＣＣＨ及びｓＰＵＳＣＨの同時送信が設定されたＵＥであり得る。より一般には、特定のＴＴＩ長さ／ニューマロロジー／プロセシング時間を有するＰＵＣＣＨ１及びＰＵＳＣＨ同時送信時点に、これとは異なるＴＴＩ長さ／ニューマロロジー／プロセシング時間を有するＰＵＣＣＨ２の送信タイミングが重なった場合、ＰＵＣＣＨ２は中止／ドロップされ、ＰＵＣＣＨとＰＵＳＣＨ１が共に送信されることができる。具体的に、ＰＵＣＣＨ２はＰＵＣＣＨ１に比べて長いＴＴＩ長さ及び／又は短いサブキャリア間隔及び／又は長いプロセシング時間を有する場合を含むことができる。ＰＵＣＣＨ２にＵＣＩが存在する場合、当該ＵＣＩは（全部又は一部が）ドロップされてもよく、ＰＵＳＣＨにピギーバックされて送信されてもよく、ＰＵＣＣＨ１の情報と集成されたりバンドリングされて共にＰＵＣＣＨ１に送信されてもよい。
【００９８】
また別の方法として、ＰＵＣＣＨ２のＵＣＩタイプ及び／又はＵＣＩペイロードサイズ及び／又はＰＵＣＣＨ１のＴＴＩ長さ及び／又はＰＵＣＣＨ１のニューマロロジー及び／又はＰＵＳＣＨのＴＴＩ長さ及び／又はＰＵＳＣＨのニューマロロジー別に、ＰＵＣＣＨ２のＵＣＩドロップ可否が決定されてもよい。ＰＵＣＣＨ２のＵＣＩタイプ及び／又はＵＣＩペイロードサイズ及び／又はＰＵＣＣＨ１のＴＴＩ長さ及び／又はＰＵＣＣＨ１のニューマロロジー及び／又はＰＵＳＣＨのＴＴＩ長さ及び／又はＰＵＳＣＨのニューマロロジー別に、ＰＵＣＣＨ２のＵＣＩがＰＵＣＣＨ１に送信されるか、又はＰＵＳＣＨに送信されるかが決定されてもよい。
【００９９】
● ケース６ｂ：特定のＵＥにスケジュールされたＰＵＣＣＨ送信時点ＴＴＩにおいて、ｓＰＵＳＣＨとｓＰＵＣＣＨが同時送信されるようにスケジュールされて送信タイミングと重なる場合、ｓＰＵＣＣＨは中止／ドロップされ、ｓＰＵＳＣＨとＰＵＣＣＨが共に送信されることができる。ここで、ＵＥは、ＰＵＣＣＨ及びＰＵＳＣＨの同時送信又は別のｓＰＵＣＣＨ及びｓＰＵＳＣＨの同時送信が設定されたＵＥであり得る。より一般には、特定のＴＴＩ長さ／ニューマロロジー／プロセシング時間を有するＰＵＣＣＨ１／ＰＵＳＣＨ同時送信時点に、これとは異なるＴＴＩ長さ／ニューマロロジー／プロセシング時間を有するＰＵＣＣＨ２の送信タイミングが重なった場合、ＰＵＣＣＨ１は中止／ドロップされ、ＰＵＣＣＨ２とＰＵＳＣＨが共に送信されることができる。具体的に、ＰＵＣＣＨ２はＰＵＣＣＨ１に比べて長いＴＴＩ長さ及び／又は短いサブキャリア間隔及び／又は長いプロセシング時間を有する場合を含むことができる。ＰＵＣＣＨ１にＵＣＩが存在する場合、当該ＵＣＩは（全部又は一部が）ドロップされてもよく、ＰＵＳＣＨにピギーバックされて送信されてもよく、ＰＵＣＣＨ２の情報と集成されたりバンドリングされて共にＰＵＣＣＨ２に送信されてもよい。また別の方法として、ＰＵＣＣＨ１のＵＣＩタイプ及び／又はＵＣＩペイロードサイズ及び／又はＰＵＣＣＨ２のＴＴＩ長さ及び／又はＰＵＣＣＨ２のニューマロロジー及び／又はＰＵＳＣＨのＴＴＩ長さ及び／又はＰＵＳＣＨのニューマロロジー別に、ＰＵＣＣＨ１のＵＣＩドロップ可否が決定されてもよい。ＰＵＣＣＨ１のＵＣＩタイプ及び／又はＵＣＩペイロードサイズ及び／又はＰＵＣＣＨ２のＴＴＩ長さ及び／又はＰＵＣＣＨ２のニューマロロジー及び／又はＰＵＳＣＨのＴＴＩ長さ及び／又はＰＵＳＣＨのニューマロロジー別に、ＰＵＣＣＨ１のＵＣＩがＰＵＣＣＨ２に送信されるか、又はＰＵＳＣＨに送信されるかが決定されてもよい。
【０１００】
より一般には、特定のＴＴＩ長さ／ニューマロロジー／プロセシング時間を有するＵＬチャネルと、これとは異なるＴＴＩ長さ／ニューマロロジー／プロセシング時間を有するＵＬチャネルがあり、当該複数のＵＬチャネルが同時送信されるようにスケジュールされた場合、特定の組み合わせのＵＬチャネルに対して優先順位を付与して、残りのＵＬチャネルは中止／ドロップされるように規則が定義されてもよい。
【０１０１】
一例として、ＰＵＳＣＨ、ＰＵＣＣＨ、ｓＰＵＳＣＨ、ｓＰＵＣＣＨの送信時点が重なった場合、ＰＵＳＣＨとｓＰＵＳＣＨのみ送信されるように規則が定義されてもよい。また、別の方法として、特定のＴＴＩ長さ／ニューマロロジー／プロセシング時間を有するＵＬチャネルと、これとは異なるＴＴＩ長さ／ニューマロロジー／プロセシング時間を有するＵＬチャネルがあり、当該複数のＵＬチャネルの送信時点が重なった場合、予め定められた優先順位に従って、上位に属する２個のＵＬチャネル（又は、予め約束された個数のＵＬチャネル）のみ送信され、残りのＵＬチャネルはドロップされるように規則が定義されてもよい。ここで、ＵＬチャネルのＴＴＩ長さ及び／又はニューマロロジー及び／又はプロセシング時間及び／又はＵＣＩ存否などを考慮して、ＵＬチャネル（組み合わせ）の優先順位が決定されてもよい。具体的には、優先順位はＵＣＩ保護を最も優先して、チャネルのＵＣＩ有無＞ＵＣＩ優先順位＞ＴＴＩ長さ／ニューマロロジー／プロセシング時間の順に定義されてもよい。また、レイテンシを最も優先して、ＴＴＩ長さ／ニューマロロジー／プロセシング時間＞チャネルのＵＣＩ有無＞ＵＣＩ優先順位の順に定義されてもよい。
【０１０２】
また、特定のＴＴＩ長さ／ニューマロロジー／プロセシング時間を有するＵＬチャネルと、これとは異なるＴＴＩ長さ／ニューマロロジー／プロセシング時間を有するＵＬチャネルがあり、当該複数のＵＬチャネルが同時送信されるようにスケジュールされた場合、端末の同時送信能力（ｃａｐａｂｉｌｉｔｙ）によって最終同時送信されるチャネルの個数が決定され、このとき、同時送信されるチャネルは、予め定義された優先順位（例えば、チャネルのＵＣＩ有無＞ＵＣＩ優先順位＞ＴＴＩ長さ／ニューマロロジー／プロセシング時間、又は、ＴＴＩ長さ／ニューマロロジー／プロセシング時間＞チャネルのＵＣＩ有無＞ＵＣＩ優先順位）に従って決定されてもよく、ドロップされるチャネルのＵＣＩは、送信されるチャネルにマッピングされて送信されてもよい。
【０１０３】
具体的に、ドロップされるチャネルのＵＣＩは、送信のために選択されたチャネルのうちＴＴＩ長さの長いチャネル及び／又は制御チャネルよりは、データチャネルに優先してマッピングされるように規則が定義されてもよい。例えば、ＰＵＳＣＨ＞ＰＵＣＣＨ＞ｓＰＵＳＣＨ＞ｓＰＵＣＣＨのような順序又は優先順位に従って当該ＵＣＩがマッピングされる。
【０１０４】
また、ドロップされるチャネルのＵＣＩは、送信のために選択されたチャネルのうちレイテンシを優先して、ＴＴＩ長さの短いチャネル及び／又はデータチャネルよりは、制御チャネルに優先してマッピングされるように規則が定義されてもよい。例えば、ｓＰＵＣＣＨ＞ｓＰＵＳＣＨ＞ＰＵＣＣＨ＞ＰＵＳＣＨのような順序又は優先順位に従って当該ＵＣＩがマッピングされる。
【０１０５】
また、ドロップされるチャネルのＵＣＩは、送信のために選択されたチャネルのうちレイテンシを優先して、ＴＴＩ長さの短いチャネル及び／又は制御チャネルよりは、データチャネルに優先してマッピングされるように規則が定義されてもよい。例えば、ｓＰＵＳＣＨ＞ＰＵＳＣＨ＞ｓＰＵＣＣＨ＞ＰＵＣＣＨ、又は、ｓＰＵＳＣＨ＞ｓＰＵＣＣＨ＞ＰＵＳＣＨ＞ＰＵＣＣＨのような順序又は優先順位に従って当該ＵＣＩがマッピングされる。
【０１０６】
また、ドロップされるチャネルのＵＣＩは、送信のために選択されたチャネルのうちデータチャネルに優先してマッピングされるように規則が定義されてもよい。例えば、ＰＵＳＣＨ＞ｓＰＵＳＣＨ＞ＰＵＣＣＨ＞ｓＰＵＣＣＨ、又は、ｓＰＵＳＣＨ＞ＰＵＳＣＨ＞ｓＰＵＣＣＨ＞ＰＵＣＣＨ、又は、ＰＵＳＣＨ＞ｓＰＵＳＣＨ＞ＰＵＣＣＨ＞ｓＰＵＣＣＨ、又は、ｓＰＵＳＣＨ＞ＰＵＳＣＨ＞ＰＵＣＣＨ＞ｓＰＵＣＣＨのような順序又は優先順位に従って当該ＵＣＩがマッピングされる。
【０１０７】
ドロップされるチャネルのＵＣＩは、前記優先順位に従って決定されたチャネルに割り当てられたリソース及び／又は当該ＵＣＩのペイロードサイズ及び／又は当該ＵＣＩのタイプ及び／又はドロップされるチャネルのＴＴＩ長さ／ニューマロロジー／プロセシング時間及び／又は優先順位に従って決定されたチャネルのＴＴＩ長さ／ニューマロロジー／プロセシング時間などによって、当該チャネルにマッピングされて送信されるか否かが決定されてもよい。送信される全てのチャネル又は送信されるチャネルのうち優先順位が最高のｘ個のチャネルで当該ＵＣＩを送信する能力がない場合にはドロップされることもある。
【０１０８】
また、ＵＣＩは同一のＴＴＩ長さ／ニューマロロジー／プロセシング時間別にピギーバックを許容してから、異なるＴＴＩ長さ／ニューマロロジー／プロセシング時間間の優先順位を考慮して、最終的にＵＣＩが送信されるチャネルを決定してもよい。一例として、ＰＵＳＣＨ、ＰＵＣＣＨ、ｓＰＵＳＣＨ、ｓＰＵＣＣＨの送信時点が重なった場合、ＰＵＣＣＨのＵＣＩはＰＵＳＣＨに、ｓＰＵＣＣＨのＵＣＩはｓＰＵＳＣＨにピギーバックされた後、ＰＵＳＣＨとｓＰＵＳＣＨの同時送信／設定の可否によって最終的にＵＣＩが送信されるチャネルが決定されてもよい。
【０１０９】
また、ＵＣＩは同一タイプのチャネル別にピギーバックを許容してから、異なるＵＣＩタイプ間の優先順位を考慮して、最終的にＵＣＩが送信されるチャネルが決定されてもよい。一例として、ＰＵＳＣＨ、ＰＵＣＣＨ、ｓＰＵＳＣＨ、ｓＰＵＣＣＨの送信時点が重なった場合、ＰＵＣＣＨのＵＣＩはｓＰＵＣＣＨに、ＰＵＳＣＨのＵＣＩはｓＰＵＳＣＨにピギーバックされた後、ｓＰＵＣＣＨとｓＰＵＳＣＨの同時送信／設定の可否によって最終的にＵＣＩが送信されるチャネルが決定されてもよい。
【０１１０】
同時送信設定
【０１１１】
ＰＵＣＣＨ／ＰＵＳＣＨ同時送信設定は、各ＴＴＩ長さ別に及び／又はニューマロロジー別に及び／又はプロセシング時間別に端末に設定されてもよい。又は、異なるＴＴＩ長さ及び／又は異なるニューマロロジー及び／又は異なるプロセシング時間を有するＰＵＣＣＨとＰＵＳＣＨに対する同時送信設定が端末に設定されてもよい。又は、異なるＴＴＩ長さ及び／又は異なるニューマロロジー及び／又は異なるプロセシング時間を有する２つのＵＬチャネルに対する同時送信設定が端末に設定されてもよい。又は、異なる（又は、同一の）ＴＴＩ長さ及び／又は異なる（又は、同一の）ニューマロロジー及び／又は異なる（又は、同一の）プロセシング時間を有する複数のＵＬチャネルに対する同時送信設定が端末に設定されてもよい。このとき、当該設定は、同時送信可能なＵＬチャネル個数の最大値であってもよく、又は特定の組み合わせに対する同時送信可否を個別に報告することを含んでもよい。ここで、同時送信に関する設定は、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ、又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は、互いに異なるニューマロロジー／プロセシング時間など）を有するＰＵＳＣＨ／ＰＵＳＣＨ、又は互いに異なるＴＴＩ長さ（又は、互いに異なるニューマロロジー／プロセシング時間など）を有するＰＵＣＣＨ／ＰＵＣＣＨなどを含んでもよい。
【０１１２】
また、ＰＵＣＣＨ／ＰＵＳＣＨ同時送信が設定される場合、前記同時送信に関する設定の全ての組み合わせ（例えば、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ、又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は、互いに異なるニューマロロジー／プロセシング時間など）を有するＰＵＳＣＨ／ＰＵＳＣＨ、又は互いに異なるＴＴＩ長さ（又は、互いに異なるニューマロロジー／プロセシング時間など）を有するＰＵＣＣＨ／ＰＵＣＣＨ、又は（予め定義／約束されたか、上位／物理層信号によって指示された）特定の組み合わせの（チャネルの）同時送信が端末に設定されるように規則が定義されてもよい。このとき、端末は、複数のＵＬチャネルが特定の時点に重なった場合、このうち一部の個数のＵＬチャネルに対してのみ（複数のＵＬチャネルのうち相対的に短いＴＴＩ基準時間の間に）同時送信が許容されるように規則が定義されてもよい。
【０１１３】
端末は、ＰＵＣＣＨ／ＰＵＳＣＨ同時送信能力をＴＴＩ長さ別に及び／又はニューマロロジー別に及び／又はプロセシング時間別にネットワークに報告するように規則が定義されてもよい。或いは、端末は、異なるＴＴＩ長さ及び／又は異なるニューマロロジー及び／又は異なるプロセシング時間を有するＰＵＣＣＨとＰＵＳＣＨに対する同時送信能力をネットワークに報告することができる。ネットワークはこれに基づいて当該端末のスケジューリングに対する効率性を高めることができる。より一般には、端末は、異なる（又は、同一の）ＴＴＩ長さ及び／又は異なる（又は、同一の）ニューマロロジー及び／又は異なる（又は、同一の）プロセシング時間を有する複数のＵＬチャネルに対する同時送信能力をネットワークに報告することができる。これは、同時送信可能なＵＬチャネル個数の最大値であってもよく、又は特定の組み合わせに対する同時送信可否を個別に報告することを含んでもよい。
【０１１４】
また、端末がＰＵＣＣＨ／ＰＵＳＣＨ同時送信能力をネットワークに報告することができ、この場合、前記同時送信に関する設定の全ての組み合わせ（例えば、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ、又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は互いに異なるニューマロロジー／プロセシング時間など）を有するＰＵＳＣＨ／ＰＵＳＣＨ、又は互いに異なるＴＴＩ長さ（又は、互いに異なるニューマロロジー／プロセシング時間など）を有するＰＵＣＣＨ／ＰＵＣＣＨ）又は（予め定義／約束されたか、又は上位／物理層信号によって指示された）特定の組み合わせの同時送信に対する能力があると解釈することができる。
【０１１５】
ＣＧ別同時送信設定
【０１１６】
搬送波集成（ＣＡ）の状況において、特定の条件に応じて、セルグループ（ｃｅｌｌ  ｇｒｏｕｐ；ＣＧ）を分けて、各ＣＧ別に別途の同時送信に関する設定が端末に行われてもよい。一例として、ＣＧは同じＵＬ  ＴＴＩ長さのセル同士をグループ化して構成されてもよく、又は同じＴＭ（ｔｒａｎｓｍｉｓｓｉｏｎ  ｍｏｄｅ）のセル同士をグループ化して構成されてもよい。ここで、同時送信に関する設定は、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ、又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は、互いに異なるニューマロロジー／プロセシング時間など）を有するＰＵＳＣＨ／ＰＵＳＣＨ、又は互いに異なるＴＴＩ長さ（又は、互いに異なるニューマロロジー／プロセシング時間など）を有するＰＵＣＣＨ／ＰＵＣＣＨなどを含んでもよい。具体的に、各ＣＧ別に同時送信に関する設定が異なるように規則が定義されてもよい。一例として、ＣＧ１はＰＵＣＣＨ／ＰＵＳＣＨ同時送信のみ設定される一方、ＣＧ２はＰＵＣＣＨ／ＰＵＳＣＨ、ｓＰＵＣＣＨ／ｓＰＵＳＣＨ、ＰＵＳＣＨ／ｓＰＵＳＣＨ同時送信が設定されてもよい。
【０１１７】
また、ＣＧ別にＰＵＣＣＨ／ＰＵＳＣＨ同時送信が設定される場合、前記同時送信に関する設定の全ての組み合わせ（例えば、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は、互いに異なるニューマロロジー／プロセシング時間など）を有するＰＵＳＣＨ／ＰＵＳＣＨ、又は互いに異なるＴＴＩ長さ（又は、互いに異なるニューマロロジー／プロセシング時間など）を有するＰＵＣＣＨ／ＰＵＣＣＨ）又は（予め定義／約束されたか、上位／物理層信号によって指示された）特定の組み合わせの同時送信が端末に全て設定されるように規則が定義されてもよい。このとき、端末は、複数のＵＬチャネルが特定の時点に重なった場合、このうち一部の個数のＵＬチャネルに対してのみ（複数のＵＬチャネルのうち相対的に短いＴＴＩ基準時間の間に）同時送信が許容されるように規則が定義されてもよく、本動作は、ＣＧ設定のない一般的なＣＡ状況にも同様に適用できる。
【０１１８】
端末は、各ＣＧ別にＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ、又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は、互いに異なるニューマロロジー／プロセシング時間など）を有するＰＵＳＣＨ／ＰＵＳＣＨ、又は互いに異なるＴＴＩ長さ（又は、互いに異なるニューマロロジー／プロセシング時間など）を有するＰＵＣＣＨ／ＰＵＣＣＨ同時送信能力を報告することができる。或いは、端末が各ＣＧ別にＰＵＣＣＨ／ＰＵＳＣＨの同時送信能力をネットワークに報告することができ、この場合、前記同時送信に関する設定の全ての組み合わせ（例えば、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ、又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は、互いに異なるニューマロロジー／プロセシング時間など）を有するＰＵＳＣＨ／ＰＵＳＣＨ又は互いに異なるＴＴＩ長さ（又は、互いに異なるニューマロロジー／プロセシング時間など）を有するＰＵＣＣＨ／ＰＵＣＣＨ）又は（予め定義／約束されたか、上位／物理層信号によって指示された）特定の組み合わせの同時送信に対する能力があると解釈することができる。
【０１１９】
異なるＴＴＩ長さ及び／又は異なるニューマロロジー及び／又は異なるプロセシング時間を有する複数のＵＬチャネルの波形（ｗａｖｅｆｏｒｍ）が異なる場合、同時送信は難しいかもしれない。一例として、長い（ｌｏｎｇ）ＴＴＩはＳＣ−ＦＤＭ、短い（ｓｈｏｒｔ）ＴＴＩはＯＦＤＭ波形である場合、同時送信は難しい可能性がある。よって、前記同時送信は、同一波形である複数のＵＬチャネルである場合に限って許容されるように限定されることができる。一方、ＣＡ状況ではＯＦＤＭ／ＳＣ−ＦＤＭ間の同時送信が可能であり得るため、ＣＡである状況と非−ＣＡである状況の同時送信設定が異なってもよい。
【０１２０】
異なるＴＴＩ長さ及び／又は異なるニューマロロジー及び／又は異なるプロセシング時間を有する複数のＵＬチャネルに対する同時送信が設定されたとき、同時送信が設定されたとしても、当該複数のＵＬチャネルの開始タイミングの差が一定以上である場合、端末は同時送信を行わずに、優先順位の低いＵＬチャネルの送信を中止／ドロップして、優先順位の高いＵＬチャネルのみを送信するように、又は開始タイミングが早いＵＬチャネルに対してのみ送信を維持して、残りのＵＬチャネルはドロップするように規則が定義されてもよい。
【０１２１】
前記規則は、当該端末に対する同時送信設定可否には関係なく適用されてもよい。
【０１２２】
無線チャネルにおける周波数ダイバーシティ（ｄｉｖｅｒｓｉｔｙ）利得を得るために、ホッピング（ｈｏｐｐｉｎｇ）が適用されてもよい。より長いＴＴＩ長さを有する、又はより短いサブキャリア間隔を有する特定のチャネルに対してホッピングが設定された場合、より短いＴＴＩ長さを有する、又はより長いサブキャリア間隔を有する他のチャネルも同一レベルのホッピングが適用されるように規則が定義されてもよい。一例として、１ｍｓのＴＴＩチャネルに対してスロット単位のホッピングが設定された場合、２−シンボルＴＴＩチャネルも周波数帯域におけるリソース割り当てがスロット単位でホッピングされるように予めホッピングパターンが定義されてもよい。換言すれば、２−シンボルＴＴＩチャネルの周波数帯域リソース割り当てがスロット内では同様に維持される規則が定義されてもよい。上述した「より短いＴＴＩ長さを有する、又はより長いサブキャリア間隔を有するチャネルのリソース割り当て／ホッピング」に対する規則は、別の上位層信号による設定及び／又は物理層信号によってイネーブル（ｅｎａｂｌｅ）されてもよく、又はネットワークの同時送信設定可否又は同時送信スケジュール状況ではなくても常に適用されることができる。或いは、既存のＰＵＳＣＨホッピング設定のとき、より短いＴＴＩ長さを有する、又はより長いサブキャリア間隔を有する他のチャネルも同一レベルのホッピングが適用されるように規則が定義されてもよい。
【０１２３】
このとき、より短いＴＴＩ長さを有する、又はより長いサブキャリア間隔を有するチャネルのリソース割り当て及び／又はホッピングパターン及び／又は周波数リソース割り当て単位間の周波数リソースオフセットは、（１）当該チャネルのスケジューリングのための制御チャネルによって指示されてもよく、及び／又は（２）ツ−レベル（ｔｗｏ−ｌｅｖｅｌ）ＤＣＩのうちスロー（ｓｌｏｗ）ＤＣＩ又は一部の早い（ｆａｓｔ）ＤＣＩによって指示されてもよく、及び／又は（３）多重−ＴＴＩスケジューリングＤＣＩによって指示されてもよく、及び／又は（４）上位層信号によってオフセット又はホッピングパターンに関する情報が設定されてもよく、及び／又は（５）予め定義／約束されたオフセット又はホッピングパターンによって自動的に周波数リソース割り当てが決定されてもよい。具体的に、より短いＴＴＩ長さを有する、又はより長いサブキャリア間隔を有するチャネルのリソース割り当てが特定の時間区間の間に同一値を示しても、オフセット又はホッピングパターンによってスロット単位（又は、リソース割り当てが維持されるように定められた時間単位）に実際のリソース割り当てが変更され得る。
【０１２４】
また、より長いＴＴＩ長さを有する、又はより短いサブキャリア間隔を有する特定のチャネルに対してホッピングが設定された場合、より短いＴＴＩ長さを有する、又はより長いサブキャリア間隔を有する他のチャネルとの同時送信を許容しないように規則が定義されてもよい。
【０１２５】
また、より長いＴＴＩ長さを有する、又はより短いサブキャリア間隔を有する特定のチャネルと、より短いＴＴＩ長さを有する、又はより長いサブキャリア間隔を有する他のチャネルとの同時送信が設定された場合には、ホッピングを許容しないように規則が定義されてもよい。
【０１２６】
異なるＴＴＩ長さ及び／又は異なるニューマロロジー及び／又は異なるプロセシング時間を有する複数のＵＬチャネルに対する送信タイピングが重なる場合、端末のマルチ−クラスタ送信能力及び／又はネットワークのマルチ−クラスタ送信設定可否によって、当該複数のＵＬチャネルに対するマルチ−クラスタ送信が許容されるように規則が定義されてもよい。仮に、端末がマルチ−クラスタ送信能力がないか、又はネットワークのマルチ−クラスタ送信が設定されていない場合、複数のＵＬチャネルのうち優先順位を考慮して、一部の送信が中止／ドロップされるように規則が定義されてもよい。ここで、異なるＴＴＩ長さ及び／又は異なるニューマロロジー及び／又は異なるプロセシング時間を有する複数のＵＬチャネルに対するマルチ−クラスタ送信能力及び／又はネットワークのマルチ−クラスタ送信設定は、既存のシグナリングを再使用してもよく、別のシグナリングが定義されてもよい。本提案において、複数のＵＬチャネルは、異なるＴＴＩ長さ及び／又は異なるニューマロロジー及び／又は異なるプロセシング時間を有する複数のＵＬデータチャネル又は異なるＴＴＩ長さ及び／又は異なるニューマロロジー及び／又は異なるプロセシング時間を有する複数のＵＬ制御チャネルを意味してもよい。
【０１２７】
具体的に、上述した場合は、互いに異なる時点の複数のＵＬ承認が同一時点のＵＬチャネル送信をスケジュールする場合を含むことができる。一例として、複数のＵＬチャネルは、ＰＵＳＣＨとｓＰＵＳＣＨであってもよく、ＵＬ承認−ｔｏ−ＵＬデータ送信タイミングがｎ＋ｋ１  ＴＴＩであるＰＵＳＣＨと、ｎ＋ｋ２  ＴＴＩであるＰＵＳＣＨの場合を含むことができる。
【０１２８】
上述したＵＥ能力報告において、より具体的に、帯域別及び／又はＣＣ別及び／又は帯域組み合わせ別及び／又はＣＣの組み合わせ別に、端末は異なるＴＴＩ長さ及び／又は異なるニューマロロジー及び／又は異なるプロセシング時間を有する複数のＵＬチャネル組み合わせ（例えば、ＰＵＣＣＨ／ＰＵＳＣＨ、ｓＰＵＣＣＨ／ｓＰＵＳＣＨ、ｓＰＵＣＣＨ／ＰＵＳＣＨ、ＰＵＣＣＨ／ｓＰＵＳＣＨ、ＰＵＳＣＨ／ｓＰＵＳＣＨ、ＰＵＣＣＨ／ｓＰＵＣＣＨ、又は互いに異なるＴＴＩ長さ（又は、互いに異なるニューマロロジー／プロセシング時間など）を有するＰＵＣＣＨ／ＰＵＳＣＨ、又は互いに異なるＴＴＩ長さ（又は、互いに異なるニューマロロジー／プロセシング時間など）を有するＰＵＳＣＨ／ＰＵＳＣＨ、又は互いに異なるＴＴＩ長さ（又は、互いに異なるニューマロロジー／プロセシング時間など）を有するＰＵＣＣＨ／ＰＵＣＣＨ）に対する同時送信能力をネットワークに報告することができる。
【０１２９】
現在、ＬＴＥ標準によれば、多重ＴＡＧ（ｔｉｍｉｎｇ  ａｄｖａｎｃｅ  ｇｒｏｕｐ）が設定され、特定のＴＡＧに属するサービングセルのｉ番目のサブフレームにおけるＰＵＣＣＨ／ＰＵＳＣＨ送信が他のＴＡＧに属するサービングセルのｉ＋１番目のサブフレームにおけるＰＵＳＣＨの最初のシンボルと重なって電力−制限された場合、端末は重なった部分の全送信電力がＰ＿ＣＭＡＸを超えないように送信電力を調節することができる。この規則をｓＴＴＩとの重畳ケースにそのまま適用しようとする場合、ｓＴＴＩは相対的により多いインパクトを受けることになり、復調性能が非常に劣化する可能性があり、さらに重なる部分が参照信号である場合、復調に致命的な影響を及ぼす可能性もある。
【０１３０】
よって、特定のＴＡＧに属するサービングセルの（ｓ）ＰＵＣＣＨ／（ｓ）ＰＵＳＣＨ送信が他のＴＡＧに属するサービングセルの（ｓ）ＰＵＳＣＨ送信と時間ドメインにおいて重なって電力−制限された場合、又は特定のＰＵＣＣＨグループ（又は、セルグループ）内の特定のＴＡＧに属するサービングセルの（ｓ）ＰＵＣＣＨ／（ｓ）ＰＵＳＣＨ送信が他のＰＵＣＣＨグループ（又は、セルグループ）内の他のＴＡＧに属するサービングセルの（ｓ）ＰＵＣＣＨ／（ｓ）ＰＵＳＣＨ送信と時間ドメインにおいて重なって電力−制限された場合、次の端末の動作が定義されることができる。
【０１３１】
● 提案１：２つの送信のうち開始及び／又は終了タイミングが遅い方をドロップする。一例として、ｓＴＴＩのＤＭ−ＲＳが先頭部に割り当てられる（ｆｒｏｎｔ−ｌｏａｄｅｄ）場合、重なったチャネルのうち時間上において後ろに位置したチャネルの最初のシンボルが受ける影響が多い可能性があるため、当該チャネルをドロップしてもよい。
【０１３２】
● 提案２：２つの送信のうちより長いＴＴＩ長さ（又は、より小さいサブキャリア間隔）を有する方をドロップする。これは、レイテンシ要求事項がより厳しい（ｔｉｇｈｔ）チャネルに優先順位を与えるためである。
【０１３３】
● 提案３：２つの送信のうちより短いＴＴＩ長さ（又は、より大きいサブキャリア間隔）を有する方をドロップする。
【０１３４】
● 上記提案の組み合わせによって、重なるときの端末の動作が定義されることができる。
【０１３５】
より具体的に、上記提案におけるドロップ動作が上位（又は、物理）層信号によって設定されてもよい。一例として、ドロップが設定された場合には、上記提案のようにドロップを行い、ドロップが設定されていない場合、端末動作は、既存のＤＣ動作のように全電力がＰ＿ＣＭＡＸを超えないように電力を調節してもよい。また、ＴＡＧの各ＴＡ値に対する差異の最大が一定以上である場合（及び／又は２つの送信の重なったシンボル／ＴＴＩが一定以上である場合）、端末動作はドロップが適用されてもよく、そうではない場合、既存のように全電力がＰ＿ＣＭＡＸを超えないように電力を調節してもよい。
【０１３６】
ＰＵＣＣＨグループ別にＤＬ／ＵＬ  ｓＴＴＩ長さが設定される場合、１つのＰＵＣＣＨグループ内のｓＴＴＩ動作が設定されたセルはいずれの同一のＴＡ（ｔｉｍｉｎｇ  ａｄｖａｎｃｅ）が設定されるように規則が定義されてもよい。換言すれば、１つのＰＵＣＣＨグループ内のｓＴＴＩ動作が設定されたセルに対して、端末は多重ＴＡＧが設定されることを期待しない。また、ＰＵＣＣＨグループ別にＤＬ／ＵＬ  ｓＴＴＩ長さが設定される場合、１つのＰＵＣＣＨグループ内のｓＴＴＩ動作が設定されたセルは、複数のＴＡＧのうち１つに属することができ、このとき、ＴＡＧの各ＴＡ値に対する差異の最大が一定以下になるように規則が定義されてもよい。
【０１３７】
また、別のＰＵＣＣＨグループ設定無しに、ｓＴＴＩ動作が設定されたセルはいずれも同一のＴＡが設定されるように規則が定義されてもよい。換言すれば、ｓＴＴＩ動作が設定されたセルに対して、端末は多重ＴＡＧが設定されることを期待しない。また、別のＰＵＣＣＨグループ設定無しに、ｓＴＴＩ動作が設定されたセルは複数のＴＡＧのうち１つに属することができ、このとき、ＴＡＧの各ＴＡ値に対する差異の最大が一定以下になるように規則が定義されてもよい。
【０１３８】
ｓＴＴＩ動作はセル別に設定されてもよい。よって、ＰＵＣＣＨを送信するように設定されたセル（例えば、Ｐｃｅｌｌ又はＰＵＣＣＨ  ｏｎ  ｓｃｅｌｌが設定された場合、プライマリセル）に対してｓＴＴＩ動作が設定されていない場合、端末はｓＰＵＣＣＨを送信できなくなる。例えば、端末がＳｃｅｌｌで受信されたｓＰＤＳＣＨに対するＨＡＲＱ−ＡＣＫをｓＰＵＣＣＨに送信しようとするとき（すなわち、ＳｃｅｌｌはｓＴＴＩが設定される）、ＰｃｅｌｌがｓＴＴＩを支援しない場合、端末はＨＡＲＱ−ＡＣＫをｓＰＵＣＣＨに送信する方法がなくなる。また別の例として、ｅＣＡ（ｅｎｈａｎｃｅｄ  ＣＡ）によるＰＵＣＣＨグループが設定された場合、端末は各ＰＵＣＣＨグループ内のセルに対するＨＡＲＱ−ＡＣＫは当該ＰＵＣＣＨグループ内のＰｃｅｌｌ又はプライマリセル（すなわち、ＳｃｅｌｌであるもののＰＵＣＣＨを送信又はＰＵＣＣＨを支援可能なセル）で送信するように設定されているが、Ｐｃｅｌｌ又はプライマリセルがｓＴＴＩを支援しない場合、端末はＨＡＲＱ−ＡＣＫをｓＰＵＣＣＨに送信する方法がなくなる。参考までに、Ｐｃｅｌｌで受信されたｓＰＤＳＣＨに対するＨＡＲＱ−ＡＣＫは、ＰｃｅｌｌがｓＴＴＩを支援するように設定されたものであるため、上述したＳｃｅｌｌに関するｓＴＴＩ支援と関連する問題は発生しないはずである。
【０１３９】
結果として、ｓＴＴＩベースの（ｓＰＤＳＣＨに対する）ＨＡＲＱ−ＡＣＫ及び／又はＳＲ（ｓｃｈｅｄｕｌｉｎｇ  ｒｅｑｕｅｓｔ）及び／又は周期的ＣＳＩのｓＴＴＩ送信が支援できなくなる。この場合、端末の動作は、次のように定義されることができる。
【０１４０】
● 提案１：端末はＰＵＣＣＨを送信するように設定されたセル（例えば、Ｐｃｅｌｌ又はＰＵＣＣＨ  ｏｎ  ｓｃｅｌｌが設定された場合、プライマリセル）でレガシＰＵＣＣＨにＵＣＩを送信することができる。
【０１４１】
● 提案２：端末は予め約束／定義されたか、上位／物理層信号によって設定された特定のセルでＵＣＩがオフロード（ｏｆｆｌｏａｄｉｎｇ）されて、当該特定セルのｓＰＵＣＣＨにおいてＵＣＩを送信することができる。具体的な一例として、特定セルはｓＴＴＩ動作が設定されたセルのうち最低のセルインデックスを有するセルである。
【０１４２】
● 提案３：端末は他のＰＵＣＣＨグループ（又は、ＰＵＣＣＨセルグループ）のプライマリセルでｓＰＵＣＣＨにＵＣＩを送信することができる。複数のＰＵＣＣＨグループのうち少なくとも１つのＰＵＣＣＨグループに対するプライマリセルは、ｓＴＴＩ動作が設定されるように規則が定義されることができる。すなわち、端末は全てのＰＵＣＣＨグループのプライマリセルに対してｓＴＴＩ動作が設定されない状況は期待しない。また、ｓＴＴＩ動作が設定された端末の場合、全てのＰＵＣＣＨグループのＰｃｅｌｌ又はプライマリセルはｓＴＴＩ動作が設定されるように、又はｓＴＴＩ動作が支援されるように規則が定義されてもよい。よって、端末はＰＣｅｌｌ又はプライマリセル上のｓＰＵＣＣＨでＵＣＩを送信することができる。
【０１４３】
上述した提案方式に対する一例も本発明の具現方法のうち１つとして含まれてもよいため、一種の提案方式としてみなされるのは明白である。また、説明した提案方式は、独立して具現されてもよく、一部の提案方式の組み合わせ(又は、併合)の形態で具現されてもよい。提案方法の適用可否情報(又は、上述した提案方法の規則に関する情報)は、基地局が端末に予め定義されたシグナル(例えば、物理層シグナル又は上位層シグナル)を通じて知らせるように規則が定義されてもよい。
【０１４４】
図５は、本発明の一実施例による動作を示す図である。
【０１４５】
図５は、無線通信システムにおいて上りリンク信号を送信する方法に関する。この方法は端末によって行われる。
【０１４６】
前記端末は、少なくとも１つのサービングセル上でショートＴＴＩ（ｓｈｏｒｔ  ｔｒａｎｓｍｉｓｓｉｏｎ  ｔｉｍｅ  ｉｎｔｅｒｖａｌ；ｓＴＴＩ）ベースの下りリンクデータチャネルを受信することができる（Ｓ５１０）。前記端末は、前記受信された下りリンクデータチャネルに対するＨＡＲＱ−ＡＣＫ情報を送信することができる（Ｓ５２０）。
【０１４７】
前記ＨＡＲＱ−ＡＣＫ情報が載せられる上りリンク制御チャネルが送信されるセルは、前記ｓＴＴＩベースの動作を支援するように設定されることができる。
【０１４８】
前記少なくとも１つのサービングセルはセカンダリセル（Ｓｃｅｌｌ）であってもよい。また、前記上りリンク制御チャネルが送信されるセルは、前記少なくとも１つのサービングセルが属した上りリンク制御チャネルグループのプライマリセルであってもよい。前記上りリンク制御チャネルは、前記ｓＴＴＩベースのチャネルであってもよい。
【０１４９】
前記端末は、さらに複数のＴＴＩ長さの上りリンクチャネルの同時送信能力を基地局に報告することができる。前記同時送信能力は、帯域別又は帯域−組み合わせ別に提供されることができる。
【０１５０】
前記端末が複数のＴＴＩ長さの上りリンクチャネルの同時送信能力を有している場合、前記端末は前記複数のＴＴＩ長さの上りリンク制御チャネルのうち、前記上りリンク制御チャネルと異なるＴＴＩ長さを有する少なくとも１つの上りリンクチャネルと前記上りリンク制御チャネルを一サブフレームで同時に送信することができる。
【０１５１】
前記上りリンク制御チャネルと送信タイミングが重なる複数の上りリンク制御又はデータチャネルが存在する場合、前記端末はチャネルの優先順位に従って優先順位が高い２個の上りリンクチャネルを一サブフレームで同時に送信することができる。
【０１５２】
図６は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサ１１，２１をそれぞれ備える。
【０１５３】
メモリ１２，２２は、プロセッサ１１，２１の処理及び制御のためのプログラムを格納することができ、入／出力される情報を仮記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０１５４】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後、送信機／受信機１３に送信する。例えば、プロセッサ１１は、送信しようとするデータ列を逆多重化、チャネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ，ＴＢ）は一コードワードに符号化され、各コードワードは一つ以上のレイヤの形態で受信装置に送信される。周波数上り変換のために送信機／受信機１３はオシレータ（ｏｓｃｉｌｌａｔｏｒ）を含むことができる。送信機／受信機１３はＮｔ個（Ｎｔは１以上の正の整数）の送信アンテナを含むことができる。
【０１５５】
受信装置２０の信号処理過程は、送信装置１０の信号処理過程の逆となる。プロセッサ２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して（ｆｒｅｑｕｅｎｃｙ  ｄｏｗｎ−ｃｏｎｖｅｒｔ）基底帯域信号に復元する。送信機／受信機２３は、周波数下り変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０１５６】
送信機／受信機１３，２３は一つ以上のアンテナを具備する。アンテナは、プロセッサ１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素の組み合わせによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ，ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送信機／受信機の場合は２個以上のアンテナに接続されてもよい。
【０１５７】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０１５８】
送信装置及び／又は受信装置は、上述した本発明の実施例のうちの少なくとも１つ又は２つ以上の実施例の組み合わせを実行することができる。
【０１５９】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである
【産業上の利用可能性】
【０１６０】
本発明は端末、リレー、基地局などのような無線通信装置に利用可能である。
【図１】
0006831010.tif 000024
【図２】
0006831010.tif 000025
【図３】
0006831010.tif 000026
【図４】
0006831010.tif 000027
【図５】
0006831010.tif 000028
【図６】
0006831010.tif 000029